(57)【要約】【課題】  シフトノブは、軽量化の要請と、車輌等の走行の一連動作を通じて終始繰り返し把持され、押され、引かれ、あるいは捻られるという長期に亘っての過酷な使用条件での使用に耐えられる耐久性、さらに機械的および温度・湿度等の環境的な高い耐久性能も求められ、また、把持したときの変形や小破損とそれに伴う異音の発生がなく常に運転者等に好ましい触感を与えることが望まれる。【解決手段】  硬質樹脂製のインサート４と、それを覆う軟質樹脂製の表皮部２とよりなり、インサート４は、表皮部２で覆われる表面部の一部を有する第１の部分と、該表面部の他の少なくとも一部を有する第２の部分とが組み立てられ、第１及び第２の部分との突き合わせ部において連続面を形成するアッセンブリー体で、第１の部分と第２の部分とが互いに相補的に組み合わされ、前記表皮部２により突き合わせ部９を掛け渡して保持したシフトノブ。【選択図】図３
2007223509.tif 000002
【特許請求の範囲】
【請求項１】
硬質樹脂製のインサートと、このインサートを覆う軟質樹脂製の表皮部とよりなり、前記インサートは、表皮部で覆われる表面部の一部を有する第１の部分と、該表面部の他の少なくとも一部を有する第２の部分とが組み立てられ、これら第１及び第２の部分との突き合わせ部において連続面を形成するアッセンブリー体であり、前記突き合わせ部は、第１の部分と第２の部分とが互いに相補的に組み合わされ、前記表皮部により突き合わせ部を掛け渡して保持したことを特徴とするシフトノブ。
【請求項２】
第１の部分及び第２の部分の各突き合わせ部に前記面方向に交叉する方向に対向する当接面を形成し、この当接面同士を接合したことを特徴とする請求項１記載のシフトノブ。
【請求項３】
突き合わせ部において、さらに第１の部分と第２の部分との一方に係合爪を他方に係合受を形成して互いに係合したことを特徴とする請求項１記載のシフトノブ。
【請求項４】
突き合わせ部において、さらに第１の部分と第２の部分との一方に雄ネジを他方に雌ネジを形成して互いに螺合したことを特徴とする請求項１記載のシフトノブ。
【請求項５】
第１の部分の表面部と第２の部分の表面部とで閉曲面部を形成し、この閉曲面部の全周に沿って表皮部を環状に被覆したことを特徴とする請求項１〜請求項４のうち、いずれか１項に記載のシフトノブ。
【請求項６】
前記インサートの内部には、第１の部分と第２の部分とに組み合わされるコア部を有し、このコア部はシフトノブを操作杆に接合する接合部を有することを特徴とする請求項１〜請求項５のうち、いずれか１項に記載のシフトノブ。
【発明の詳細な説明】
【技術分野】
【０００１】
本発明は、自動車等で使用する自動変速機のシフトノブに関するものである。
【背景技術】
【０００２】
従来、自動車で使用されるシフトノブには、成形型により樹脂で一体成形したものがある。すなわち、左右二分割形の成形型により外形部と上部に位置して側方に開口する釦挿入孔部とを形成するとともに、成形型に設けられた上下に移動可能な可動型により釦挿入孔部に略直交してシフトレバーが挿入される取付孔部を形成する構成である。
また、ノブ分割体の一方に取付筒部などを形成し、ノブ分割体の他方と組み合わせて、内部の肉（樹脂量）を減らして軽量化を可能としたシフトノブ、具体的には、リブの側面部を取付筒部の外周部に当接し、以て、ノブ本体の構造体としての強度を付与しており、このノブ本体に本革等の外装体を付与し、接合部が外部に露出しない構造としている。また、他の実施例としては、ノブ分割体の端面を面一にし、ノブ本体の外周に軟質樹脂製の外郭部を型成形するシフトノブ（例えば、特許文献１参照）が存在している。
【特許文献１】実開平４−９３５５８号公報（実用新案登録請求の範囲、考案の詳細な説明の欄の｛実施例｝における段落｛０００７｝〜｛００１６｝、及び図１〜図４を参照）
【発明の開示】
【発明が解決しようとする課題】
【０００３】
自動車に使用されるシフトノブは、上記従来技術の説明にあるように軽量化の要請に応える必要があるとともに、車輌や建設機械等の走行などの一連の動作を通じて終始繰り返し把持され、押され、引かれ、あるいは捻られるものであり、他の操作用部品に対比して過酷な使用条件にもある。しかも、車輌等は長期に亘って使用されるものであって、機械的および温度・湿度等の環境的な高い耐久性能も求められる。そのような条件で、把持したときの変形や小破損とそれに伴う異音の発生がないようにしなければならない。また、上記使用条件で常に運転者等に好ましい触感を与えることが望まれる。
【課題を解決するための手段】
【０００４】
上記課題を解決するための本発明の第１発明は、請求項１に記載された通りのシフトノブであり、次のようなものである。
硬質樹脂製のインサートと、このインサートを覆う軟質樹脂製の表皮部とよりなり、前記インサートは、表皮部で覆われる表面部の一部を有する第１の部分と、該表面部の他の少なくとも一部を有する第２の部分とが組み立てられ、これら第１及び第２の部分との突き合わせ部において連続面を形成するアッセンブリー体であり、前記突き合わせ部は、第１の部分と第２の部分とが互いに相補的に組み合わされ、前記表皮部により突き合わせ部を掛け渡して保持する構成である。
【０００５】
上記課題を解決するための本発明の第２発明は、請求項２に記載された通りのシフトノブであり、次のようなものである。
請求項１記載の発明に加えて、第１の部分及び第２の部分の各突き合わせ部に前記面方向に交叉する方向に対向する当接面を形成し、この当接面同士を接合する構成である。
【０００６】
上記課題を解決するための本発明の第３発明は、請求項３に記載された通りのシフトノブであり、次のようなものである。
請求項１記載の発明に加えて、突き合わせ部において、さらに第１の部分と第２の部分との一方に係合爪を他方に係合受を形成して互いに係合する構成である。
【０００７】
上記課題を解決するための本発明の第４発明は、請求項４に記載された通りのシフトノブであり、次のようなものである。
請求項１記載の発明に加えて、突き合わせ部において、さらに第１の部分と第２の部分との一方に雄ネジを他方に雌ネジを形成して互いに螺合する構成である。
【０００８】
上記課題を解決するための本発明の第５発明は、請求項５に記載された通りのシフトノブであり、次のようなものである。
請求項１〜請求項４のいずれか１項に記載の発明に加えて、第１の部分の表面部と第２の部分の表面部とで閉曲面部を形成し、この閉曲面部の全周に沿って表皮部を環状に被覆する構成である。
【０００９】
上記課題を解決するための本発明の第６発明は、請求項６に記載された通りのシフトノブであり、次のようなものである。
請求項１〜請求項５のいずれか１項に記載の発明に加えて、前記インサートの内部には、第１の部分と第２の部分とに組み合わされるコア部を有し、このコア部はシフトノブを操作杆に接合する接合部を有する構成である。
【発明の効果】
【００１０】
本発明に係るシフトノブは、上記説明のような構成であるので、以下に記載する効果を奏する。
（１）突き合わせ部が、第１の部分と第２の部分とが互いに相補的に組み合わされ、表皮部により突き合わせ部を掛け渡して保持されるので、突合わせ部の連続面のズレが抑止され、シフトノブの過酷な使用条件にもかかわらず、把持したときの変形や小破損を防ぐことができ、それに起因する異音の発生を防止できる。突き合わせ部におけるシフトノブの断面は第１の部分と第２の部分とが互いに相補的に組み合わされさらに表皮部で覆われるので、三層構造となって、内方へも外方へも変形しにくくなる。
この相補的な突き合わせ部に接合、係合、螺合のいずれかを組み合わせることにより、一層丈夫なシフトノブとすることができる。表皮部をオーバーモールドする際の工程取扱が容易になって、生産性を向上できる。
（２）閉曲面部の全周に沿って被覆した表皮部により、インサートを環状に締め付けることができるので、一層強固に保持することができる。
（３）さらに、コア部に接合機能を付与してその外側を第１の部分と第２の部分でくるめば、第１の部分と第２の部分の成形を容易にし、軽量で頑丈なインサートを形成できる。
【発明を実施するための最良の形態】
【００１１】
硬質樹脂製のインサートと、このインサートを覆う軟質樹脂製の表皮部とよりなり、前記インサートは、表皮部で覆われる表面部の一部を有する第１の部分と、該表面部の他の少なくとも一部を有する第２の部分とが組み立てられ、前記インサートの内部には、第１の部分と第２の部分とに組み合わされるコア部を有し、このコア部はシフトノブを操作杆に接合する接合部を有し、これら第１及び第２の部分との突き合わせ部において連続面を形成するアッセンブリー体であり、前記突き合わせ部は、第１の部分と第２の部分とが互いに相補的に組み合わされ、前記表皮部により突き合わせ部を掛け渡して保持し、さらに第１の部分の表面部と第２の部分の表面部とで閉曲面部を形成し、この閉曲面部の全周に沿って表皮部を環状に被覆したシフトノブ。
【実施例１】
【００１２】
以下、本発明の一実施例を図面に基づいて詳細に説明する。
図１は、車両用変速レバー１０の先端に取り付けられたシフトノブ１を示す斜視図である。
表面を熱可塑性ポリウレタン樹脂製の表皮部２で覆われ、シフトパターンを刻印したＡＢＳ樹脂製のオーナメント３が取り付けられている。
【００１３】
図２は、図１のシフトノブ１の縦断面である。
インサート４は、二つのアウタシェル５、６と、インサートコア７からなる。インサートコア７には、中空部８があり、内部に雌ネジ８ａが一体成形されている。アウタシェル５、６とインサートコア７は、いずれもポリアセタール樹脂を使用して射出成形により成形される。
【００１４】
図３は、本発明に係るシフトノブ１のインサート４部分の分解斜視図であり、アウタシェル５には、一対の端部５１、５１に沿って各２つの開口５２（図面上一方のみ視認できる）が形成されている。開口５２に対向してアウタシェル５の内側に突片５３が設けてある。また、端部５１と上部の棚部５４には、これら端部５１および棚部５４に沿って凹段部５５を形成してある。なお、アウタシェル５の内側には、略格子状のリブ５６が設けられ、このリブ５６に後述するインサートコア７が位置決めされるようになっている。
一方、アウタシェル６には、一対の端部６１、６１に沿って各２つの係止片６２、６２が突設されている。また、端部６１と棚部６４には、これら端部６１および棚部６４に沿って凸段部６５が設けてある。アウタシェル６の内側には、アウタシェル５と同様に略格子状のリブ６６が設けられ、このリブ６６に後述するインサートコア７が位置決めされるようになっている。
インサートコア７は、上記のとおり内部に雌ネジ８ａを一体成形した中空部８があり、リブ８１（８１ａ〜８１ｄ）が側面に形成してある。リブ８１のうちの３つ（８１ａ、８１ｂ、８１ｄ）にはそれぞれスリット８２ａ、８２ｂ（図示せず）、８２ｄがあり、リブ５６の横リブ５６ａなどを収容してインサートコア７の高さ位置と回転方向の位置を決めることができるようになっている。なお、スリット８２ａ、８２ｂ、８２ｄはそれぞれ高さや幅が異なっており、誤った組み付けがされないようにしている。
そしてインサートコア７を間に挟んで、アウタシェル５、６を嵌め合わせる。このとき、開口５２の縁に係止片６２が係合してシフトノブ１が組み立てられる。なお、突片５３が係止片６２を開口５２の方に押して係合を強めるように作用する。また、リブ８１をリブ５６、６６の収容部５７｛６７（図示せず）｝と同一間隔か、いくらか狭く設定しておくことで、アウタシェル５、６を組み合わせる際に反発力を生じ、開口５２に係止片６２が掛かるように付勢することができる。
すなわち、係止片６２の凸部６２ａの後部に開口５２の縁が当たる位置まで係止片６２を後退させることにより、自由進退によるガタや異音を防止することが可能になる。
このようにして組みあがったインサート４を表皮成形用金型（図示せず）に挿入して、表皮２をオーバーモールドするものである。
【００１５】
図４は、本発明のシフトノブ１の横断面（図２中に示した断面Ｂ−Ｃ−Ｄ−Ｅ）である。
熱可塑性ウレタン（ＴＰＵ）が側面全周をくるみ、成形後の収縮によりアウタシェル５、６を内方へと締め付ける。また、開口５２に溶融樹脂が侵入し、係止片６２の前進方向（矢印Ｆ）への動きを抑えて、係合関係が強固に維持される。射出成形の際の開口５２への溶融樹脂の侵入は、突片５３が後方から規制して係止片６２の内方への変形を抑制し、それによって溶融樹脂がインサート４内に漏れるのを防止している。また突き合わせ部９は段違いに合わせられており、外側から表皮２を形成するウレタン樹脂の収縮による締め込み作用と相俟って強固に保持され、破損や異音の発生を確実に防止する。
【００１６】
図５は、図４で示した開口５２と係止片６２でのアウタシェル５、６の接合の変形例を示す要部拡大断面図、図６は、アウタシェル５、６の接合の他の変形例を示す要部拡大断面図である。
この変形例の特徴点は、開口５２と係止片６２との係合に代えて、当接面５８、６８同士を振動溶着法などによって溶着する手段を用いた点にある。溶着治具（図示せず）に挟持してアウタシェル５、６の位置を決め、０．５ｍｍ程度の振幅で高速に擦り合わせて当接面５８、６８が溶けたところで振動を止め、自然放冷して接合する。この場合の相補的な形状は、例えばアウタシェル６に凸段部６５を形成する方法が考えられる。
また、図６のように、アウタシェル５にも凸段部５９を設けてもよい。
【００１７】
図７は、本発明のシフトノブ１の他の実施例の断面と特徴部を示す一部断面図である。
上下２つ割りにしたインサート１４を螺合させてアッセンブリーする（図の右半部）。これを金型に嵌め込んで表皮材２をオーバーモールドして、上記実施例に類似のシフトノブ１を得る（図の左半分）。アッパーハーフ１５とロワーハーフ１６にはそれぞれ凸段部２５、凹段部２６があり、突片２７に傾斜リブ２８がある。一方、ロワーハーフ１６内面の凹段部２６の直下に、傾斜リブ２９があり、これら傾斜リブ２８、２９がアッパーハーフ１５とロワーハーフ１６とを相対的に回転させることでネジ嵌合して組み合わされるものである。
【産業上の利用可能性】
【００１８】
この発明は、自動車、建築機械、農業機械、モーターボート等の船舶等に取り付けられた変速レバー等のシフトノブに利用することができる。
【図面の簡単な説明】
【００１９】
【図１】車両用変速レバーの先端に取り付けられたシフトノブを示す斜視図である。
【図２】図１のシフトノブの縦断面である。
【図３】本発明に係るシフトノブのインサート部分の分解斜視図である。
【図４】本発明に係るシフトノブの横断面である。
【図５】図４で示した開口と係止片でのアウタシェルの接合の変形例を示す要部拡大断面図である。
【図６】アウタシェル接合の他の変形例を示す要部拡大断面図である。
【図７】本発明に係るシフトノブの他の実施例における断面と特徴部を示す一部断面図である。
【符号の説明】
【００２０】
１・・・・シフトノブ                  ２・・・・表皮部
３・・・・オーナメント                ４・・・・インサート
５・・・・アウタシェル              ５１・・・・端部
５２・・・・開口                      ５３・・・・突片
５４・・・・棚部                      ５５・・・・凹段部
５６・・・・リブ                    ５６ａ・・・・横リブ
５７・・・・収容部                    ５８・・・・当接面
５９・・・・凸段部                      ６・・・・アウタシェル
６１・・・・端部                      ６２・・・・係止片
６２ａ・・・・凸部                      ６４・・・・棚部
６５・・・・凸段部                    ６６・・・・リブ
６７・・・・収容部                    ６８・・・・当接面
７・・・・インサートコア              ８・・・・中空部
８ａ・・・・雌ネジ                    ８１・・・・リブ
８１ａ・・・・リブ                    ８１ｂ・・・・リブ
８１ｃ・・・・リブ                    ８１ｄ・・・・リブ
８２ａ・・・・スリット                ８２ｂ・・・・スリット
８２ｄ・・・・スリット                    ９・・・・突き合わせ部
１０・・・・車両用変速レバー          １４・・・・インサート
１５・・・・アッパーフロー            １６・・・・ロワーハーフ
２５・・・・凸段部                    ２６・・・・凹段部
２７・・・・突片                      ２８・・・・傾斜リブ  
２９・・・・傾斜リブ
【図１】
2007223509.tif 000003
【図２】
2007223509.tif 000004
【図３】
2007223509.tif 000005
【図４】
2007223509.tif 000006
【図５】
2007223509.tif 000007
【図６】
2007223509.tif 000008
【図７】
2007223509.tif 000009